Podtech/llm-jp-corpus-v4-ja_patent huggingface dataset:
【手続補正書】
【提出日】平成27年5月13日(2015.5.13)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】特許請求の範囲
【補正対象項目名】全文
【補正方法】変更
【補正の内容】
【特許請求の範囲】
【請求項１】
第１の絶縁膜を形成し、
前記第１の絶縁膜上に、第１の酸化物半導体膜を形成し、
前記第１の酸化物半導体膜上に、第２の酸化物半導体膜を形成し、
前記第２の酸化物半導体膜上に、第２の絶縁膜を形成し、
前記第２の絶縁膜上に、ゲート電極を形成し、
前記ゲート電極をマスクとして、少なくとも前記第１の酸化物半導体膜と前記第２の酸化物半導体膜とに不純物を添加した後、熱処理を行う半導体装置の作製方法であって、
前記第１の酸化物半導体膜は、ＩｎとＧａとＺｎとを含み、且つ、（Ｉｎの含有率）≦（Ｇａの含有率）である酸化物を有し、
前記第２の絶縁膜は、前記ゲート電極と重ならない第１の領域と、前記ゲート電極と重なる第２の領域と、前記ゲート電極と重ならない第３の領域と、を有し、
前記不純物の添加によって、前記第１の領域及び前記第３の領域に欠陥を形成し、
前記熱処理によって、前記第１の酸化物半導体膜中及び前記第２の酸化物半導体膜中の水素を前記第１の領域及び前記第３の領域に拡散させ、前記第１の領域中の欠陥及び前記第３の領域中の欠陥に前記水素を捕獲することを特徴とする半導体装置の作製方法。
【請求項２】
第１の絶縁膜を形成し、
前記第１の絶縁膜上に、第１の酸化物半導体膜を形成し、
前記第１の酸化物半導体膜上に、第２の酸化物半導体膜を形成し、
前記第２の酸化物半導体膜上に、第２の絶縁膜を形成し、
前記第２の絶縁膜上に、ゲート電極を形成し、
前記ゲート電極をマスクとして、少なくとも前記第１の絶縁膜に不純物を添加した後、熱処理を行う半導体装置の作製方法であって、
前記第１の酸化物半導体膜は、ＩｎとＧａとＺｎとを含み、且つ、（Ｉｎの含有率）≦（Ｇａの含有率）である酸化物を有し、
前記第１の絶縁膜は、前記ゲート電極と重ならない第１の領域と、前記ゲート電極と重なる第２の領域と、前記ゲート電極と重ならない第３の領域と、を有し、
前記不純物の添加によって、前記第１の領域及び前記第３の領域に欠陥を形成し、
前記熱処理によって、前記第１の酸化物半導体膜中及び前記第２の酸化物半導体膜中の水素を前記第１の領域及び前記第３の領域に拡散させ、前記第１の領域中の欠陥及び前記第３の領域中の欠陥に前記水素を捕獲することを特徴とする半導体装置の作製方法。
【手続補正書】
【提出日】平成27年11月4日(2015.11.4)
【手続補正１】
【補正対象書類名】明細書
【補正対象項目名】０００３
【補正方法】変更
【補正の内容】
【０００３】
『熱電変換技術ハンドブック（初版）』  エヌ・ティー・エス  Ｐ１９に記載されているとおり、熱電変換材料の性能は、無次元熱電性能指数（ＺＴ）が指標であり、ＺＴは以下の式により表される。
ＺＴ＝（Ｓ2・σ・Ｔ）／κ
ここで、Ｓはゼーベック係数（Ｖ／Ｋ）、σは導電率（Ｓ／ｍ）、Ｔは絶対温度（Ｋ）、
κは熱伝導率（Ｗ／（ｍ・Ｋ））である。熱伝導率κは以下の式で表される。
κ＝α・ρ・Ｃ
ここで、αは熱拡散率（ｍ2／ｓ）、ρは密度（ｋｇ／ｍ3）、Ｃは比熱容量（Ｊ／（ｋｇ・Ｋ））である。
つまり、熱電変換の性能を向上させるには、ゼーベック係数または導電率を向上させ、熱伝導率を低下させることが重要である。
【手続補正２】
【補正対象書類名】明細書
【補正対象項目名】００９５
【補正方法】変更
【補正の内容】
【００９５】
［比較例４］
アルカンスルホン酸ナトリウム（花王株式会社製ラテムルＰＳ）３．２４部（固形分３．２４部）および３−ヘキシルチオフェン１．４２部を、イオン交換水６５．３部に混合した。この混合液を２５℃に保ち、イオン交換水１０部に過硫酸アンモニウム１．１部と、硫酸第二鉄０．１ｇとを溶解した触媒溶液をゆっくり加え、同温度で２４時間攪拌した（工程（１））。
得られた反応液にイオン交換水２０００ｍｌを添加し、限界濾過法にて溶液を３００ｍｌまで濃縮する操作を２回繰り返し、重合触媒の遊離イオンを除去した（工程（２））。
さらに、濃縮液にイオン交換水１００ｍｌ及び１０％硫酸水溶液２０ｇを順次添加し、限界濾過法にて溶液を３００ｍｌまで濃縮する操作を計５回繰り返し、プロトン交換を行った（工程（３）及び（２））。さらに、イオン交換水３０００ｍｌを添加し、限界濾過法にて３００ｍｌまで濃縮する操作を濾過液が中性になるまで繰り返し（工程（２））、固形分２．０％の黒青色液体を得た。この青色液体の固形分に対し、５％のＮ−メチルピロリドンおよび２０％の導電助剤（Ｃ８）を添加することにより熱電変換素子用組成物１２を得た。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
操作竿の先端にモータで駆動する研磨材が設けられた研磨機であって、
前記研磨材の向きを変更可能に前記操作竿を折り曲げるヒンジ機構と、
前記研磨材の状況を作業者が認識可能に前記ヒンジ機構に取り付けられたミラーと、
を備えることを特徴とする研磨機。
【請求項２】
前記ミラーは、向きを変更可能であることを特徴とする請求項１に記載の研磨機。
【請求項３】
前記モータは前記操作竿の先端に設けられていることを特徴とする請求項１または２に記載の研磨機。
【請求項４】
前記操作竿は、作業者が把持するハンドルが設けられる第１の操作竿と、前記研磨材が設けられる第２の操作竿とを有し、
前記ヒンジ機構は前記第１の操作竿と前記第２の操作竿との角度である折り曲げ量を変更可能であり、
前記第１の操作竿は、前記ヒンジ機構による折り曲げ量を制御する制御機構を有することを特徴とする請求項１から３までのいずれかに記載の研磨機。
【手続補正２】
【補正対象書類名】明細書
【補正対象項目名】０００５
【補正方法】変更
【補正の内容】
【０００５】
本発明の研磨機は、操作竿の先端にモータで駆動する研磨材が設けられた研磨機であって、前記研磨剤の向きを変更可能に前記操作竿を折り曲げるヒンジ機構と、前記研磨材の状況を作業者が認識可能に前記ヒンジ機構に取り付けられたミラーと、を備える。
また、前記ミラーは、向きを変更可能であってもよい。
また、前記モータは前記操作竿の先端に設けられてもよい。
また、前記操作竿は、作業者が把持するハンドルが設けられる第１の操作竿と、前記研磨材が設けられる第２の操作竿とを有し、前記ヒンジ機構は前記第１の操作竿と前記第２の操作竿との角度である折り曲げ量を変更可能であり、前記第１の操作竿は、前記ヒンジ機構による折り曲げ量を制御する制御機構を有してもよい。
【手続補正書】
【提出日】平成27年8月26日(2015.8.26)
【手続補正１】
【補正対象書類名】明細書
【補正対象項目名】００２６
【補正方法】変更
【補正の内容】
【００２６】
図１〜３に示す実施例の丸鋸１０と図４に示す比較例の丸鋸５０とについて、実際にワークを切削する試験を行い、両者を比較した。ワークとしては、鋼板を丸めて突き合わせた端縁を溶接することで筒状に成形された機械構造用炭素鋼管(STKM13A)を用いた。ワークは、外径が５０．８ｍｍであり、厚さが５ｍｍである。実施例および比較例の丸鋸１０,５０は、厚さ１．７ｍｍの台金１２を用い、外径が２８５ｍｍで、歯数が８０個に設定され、切れ刃の幅が２ｍｍのチップ３０,５２を台金１２にろう付けしている。実施例および比較例のチップ３０,５２は、外面にＴｉＡｌＮ系の被膜が形成された超硬合金である。また、実施例および比較例のチップ３０,５２は、第１すくい面４０の半径方向の幅が０．３ｍｍであり、第２すくい面４２,５４の半径方向の幅が同一に設定されている。実施例のチップ３０は、第１すくい面４０の第１すくい角θ１が−２５°で、第２すくい面４２の第２すくい角θ２が−５°で、分散面４４の傾斜角θ４が４５°で、背面３４が第１基準線Ｌ１と平行に形成されている。また、実施例の丸鋸１０には、歯袋１６の回転方向前側に突部２０が形成されているのに対し、比較例の丸鋸５０は、歯袋１６の回転方向前側に延在する歯体１４の外周縁１４ａに前記突部２０に対応する形状を備えていない。比較例のチップ５２は、第１すくい面４０の第１すくい角θ１が−２５°で、第２すくい面５２の第２すくい角θ２が１０°で設定され、背面５６が第２すくい面５２と平行に延在している。比較例のチップ５２は、底面５８が第２すくい面４２と台金１２との境界Ｐから回転方向に沿って延在するよう形成され、実施例のように基部３１が台金１２に嵌め込まれていない。実施例および比較例の丸鋸１０,５０により、切削速度３５８ｍ／ｍｉｎ、１歯当たりの送り量０．０７ｍｍの条件で、ミストを供給しつつ前記ワークを切削した。試験は、実施例および比較例の丸鋸１０,５０を２個ずつ用意し、夫々２回行った。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
カラー画像から、輝度信号と色信号との対で構成されるモノトーン画像を生成する生成手段を備え、
前記生成手段は、
前記輝度信号が有する輝度値を横軸に昇順に並べ、前記色信号が有する色信号値を縦軸に配置した対応図において、
最小の輝度値および最大の輝度値を除く任意の輝度値に対応する色信号値が、最大の色信号値であり、
前記最大の輝度値に対応する色信号値は、前記最小の輝度値に対応する色信号値よりも小さい、という対応関係を有するモノトーン画像を生成することを特徴とする画像生成装置。
【請求項２】
前記生成手段は、
前記最小の輝度値から輝度値が大きくなるにつれて色信号値が大きくなるという対応関係を有するモノトーン画像を生成することを特徴とする請求項１に記載の画像生成装置。
【請求項３】
前記生成手段は、
前記最大の色信号値に対応する輝度値よりも大きい第１の輝度値から前記最大の輝度値まで色信号値が一定である、という対応関係を有するモノトーン画像を生成することを特徴とする請求項１または２に記載の画像生成装置。
【請求項４】
前記モノトーン画像は、セピア調の画像であることを特徴とする請求項１から３に記載の画像生成装置。
【請求項５】
前記モノトーン画像として、色調の異なる複数の画像を生成可能であることを特徴とする請求項１から４に記載の画像生成装置。
【請求項６】
前記モノトーン画像は、ＹＵＶ形式の画像であることを特徴とする請求項１から５に記載の画像生成装置。
【請求項７】
前記生成手段は、前記カラー画像の有する色信号値を変更することで、前記モノトーン画像を生成することを特徴とする請求項１から６に記載の画像生成装置。
【請求項８】
請求項１から７のいずれかに記載の画像生成装置を備えることを特徴とする撮像装置。
【請求項９】
撮像した画像から、輝度信号と色信号との対で構成されるモノトーン画像を生成する生成手段を備え、
前記生成手段は、
前記輝度信号が有する輝度値を横軸に昇順に並べ、前記色信号が有する色信号値を縦軸に配置した対応図において、
最小の輝度値および最大の輝度値を除く任意の輝度値に対応する色信号値が、最大の色信号値であり、
前記最大の輝度値に対応する色信号値は、前記最小の輝度値に対応する色信号値よりも小さい、という対応関係を有するモノトーン画像を生成することを特徴とする撮像装置。
【請求項１０】
前記モノトーン画像として、色調の異なる複数の画像を生成可能であることを特徴とする請求項９に記載の撮像装置。
【請求項１１】
カラー画像から、輝度信号と色信号との対で構成されるモノトーン画像を生成する生成工程を備え、
前記輝度信号が有する輝度値を横軸に昇順に並べ、前記色信号が有する色信号値を縦軸に配置した対応図において、
最小の輝度値および最大の輝度値を除く任意の輝度値に対応する色信号値が、最大の色信号値であり、
前記最大の輝度値に対応する色信号値は、前記最小の輝度値に対応する色信号値よりも小さい、という対応関係を有するモノトーン画像を、前記生成工程において生成することを特徴とする画像生成方法。
【手続補正２】
【補正対象書類名】明細書
【補正対象項目名】０００８
【補正方法】変更
【補正の内容】
【０００８】
前記課題を解決するために提供する本発明は、以下の通りである。
〔１〕  カラー画像から、輝度信号と色信号との対で構成されるモノトーン画像を生成する生成手段を備え、前記生成手段は、前記輝度信号が有する輝度値を横軸に昇順に並べ、前記色信号が有する色信号値を縦軸に配置した対応図において、最小の輝度値および最大の輝度値を除く任意の輝度値に対応する色信号値が、最大の色信号値であり、前記最大の輝度値に対応する色信号値は、前記最小の輝度値に対応する色信号値よりも小さい、という対応関係を有するモノトーン画像を生成することを特徴とする画像生成装置。
〔２〕  前記生成手段は、前記最小の輝度値から輝度値が大きくなるにつれて色信号値が大きくなるという対応関係を有するモノトーン画像を生成することを特徴とする〔１〕に記載の画像生成装置。
〔３〕  前記生成手段は、前記最大の色信号値に対応する輝度値よりも大きい第１の輝度値から前記最大の輝度値まで色信号値が一定である、という対応関係を有するモノトーン画像を生成することを特徴とする〔１〕または〔２〕に記載の画像生成装置。
〔４〕  前記モノトーン画像は、セピア調の画像であることを特徴とする〔１〕から〔３〕に記載の画像生成装置。
〔５〕  前記モノトーン画像として、色調の異なる複数の画像を生成可能であることを特徴とする〔１〕から〔４〕に記載の画像生成装置。
〔６〕  前記モノトーン画像は、ＹＵＶ形式の画像であることを特徴とする、〔１〕から〔５〕に記載の画像生成装置。
〔７〕  前記生成手段は、前記カラー画像の有する色信号値を変更することで、前記モノトーン画像を生成することを特徴とする、〔１〕から〔６〕に記載の画像生成装置。
〔８〕  〔１〕から〔７〕のいずれかに記載の画像生成装置を備えることを特徴とする撮像装置。
〔９〕  撮像した画像から、輝度信号と色信号との対で構成されるモノトーン画像を生成する生成手段を備え、前記生成手段は、前記輝度信号が有する輝度値を横軸に昇順に並べ、前記色信号が有する色信号値を縦軸に配置した対応図において、最小の輝度値および最大の輝度値を除く任意の輝度値に対応する色信号値が、最大の色信号値であり、前記最大の輝度値に対応する色信号値は、前記最小の輝度値に対応する色信号値よりも小さい、という対応関係を有するモノトーン画像を生成することを特徴とする撮像装置。
〔１０〕 前記モノトーン画像として、色調の異なる複数の画像を生成可能であることを特徴とする〔９〕に記載の撮像装置。
〔１１〕 カラー画像から、輝度信号と色信号との対で構成されるモノトーン画像を生成する生成工程を備え、前記輝度信号が有する輝度値を横軸に昇順に並べ、前記色信号が有する色信号値を縦軸に配置した対応図において、最小の輝度値および最大の輝度値を除く任意の輝度値に対応する色信号値が、最大の色信号値であり、前記最大の輝度値に対応する色信号値は、前記最小の輝度値に対応する色信号値よりも小さい、という対応関係を有するモノトーン画像を、前記生成工程において生成することを特徴とする画像生成方法。
【手続補正３】
【補正対象書類名】明細書
【補正対象項目名】０００９
【補正方法】変更
【補正の内容】
【０００９】
本発明によれば、モノトーン画像を生成する際に、輝度に応じて彩度を調整することで、モノトーン画像の品質を向上させることが可能となる。
また、色調（純黒調／温黒調／冷黒調）が異なるモノトーン画像を生成する際に、輝度に応じて彩度を調整することで、モノトーン画像の品質を向上させることが可能となる。
また、デジタルカメラなどの撮像装置において、撮像されるモノトーン画像の品質を向上させることができる。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
中性子線を被照射体に照射する中性子捕捉療法システムであって、
前記中性子線を前記被照射体に照射するために前記被照射体が室内に配置可能であり、室内から室外への前記中性子線の放射を遮断するための遮蔽壁に覆われた照射室と、
前記照射室の室内に前記中性子線を照射可能な中性子線発生部と、
前記被照射体を載置し前記照射室の室内と室外との間で移動可能に構成された載置台と、を備え、
前記載置台は、土台部と、前記土台部を床面上で移動させるための駆動部と、前記土台部上に配置され被照射体を支持する天板と、を有し、
前記被照射体を載置した前記載置台全体が前記照射室内に移動し、前記載置台全体が前記照射室内で位置決めされた状態で、前記中性子線発生部から前記天板上の前記被照射体へ前記中性子線が照射される、中性子捕捉療法システム。
【請求項２】
前記照射室に並設された準備室を更に備え、
前記準備室の室内には、前記被照射体の位置合わせのための目印が設けられている請求項１に記載の中性子捕捉療法システム。
【請求項３】
前記照射室の室内には、前記中性子線の照射範囲を規定するためのコリメータ及び前記照射室の室内における前記載置台の位置を規定するための第１位置規定部が設けられ、
前記準備室の室内には、前記準備室の室内における前記載置台の位置を規定するための第２位置規定部が更に設けられ、
前記目印と前記第２位置規定部との間の位置関係は、前記コリメータと前記第１位置規定部との間の位置関係と同じである請求項２に記載の中性子捕捉療法システム。
【請求項４】
前記天板は、前記土台部に対して鉛直軸回りに回転可能である請求項１〜３のいずれか一項記載の中性子捕捉療法システム。
【手続補正２】
【補正対象書類名】明細書
【補正対象項目名】０００７
【補正方法】変更
【補正の内容】
【０００７】
本発明の中性子捕捉療法システムは、中性子線を被照射体に照射する中性子捕捉療法システムであって、中性子線を被照射体に照射するために被照射体が室内に配置可能であり、室内から室外への中性子線の放射を遮断するための遮蔽壁に覆われた照射室と、照射室の室内に中性子線を照射可能な中性子線発生部と、被照射体を載置し照射室の室内と室外との間で移動可能に構成された載置台と、を備え、載置台は、土台部と、土台部を床面上で移動させるための駆動部と、土台部上に配置され被照射体を支持する天板と、を有し、被照射体を載置した載置台全体が照射室内に移動し、載置台全体が照射室内で位置決めされた状態で、中性子線発生部から天板上の被照射体へ中性子線が照射される。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
遊技機本体と、前記遊技機本体に設けられた可動演出装置とを備えた遊技機であって、
前記可動演出装置は、
外装体と、
前記外装体に設けられる駆動源と、
前記駆動源からの動力を受けることで、動作の起点となる初期位置と、前記初期位置から変位した可動位置との間で進退動作する可動演出体と、
前記可動演出体が前記初期位置に存在することを検出する検出手段と、
前記可動演出体の進退動作を制御する制御装置と、を備えて構成され、
前記制御装置は、
前記可動演出体を所定の演出動作パターンに従って進退動作させる制御を行う演出動作制御手段と、
前記可動演出体の動作状態を監視して、当該動作状態を、正常状態、異常状態、暫定的正常状態及び暫定的異常状態のいずれかを示すステータス情報として取得する監視制御手段と、
前記ステータス情報を記憶保持するステータス保持手段と、
前記可動演出体を所定のリトライ動作パターンに従って前記初期位置へ復帰させるためのリトライ動作を実行するリトライ動作制御手段と、を有し、
前記可動演出体が前記演出動作パターンに従って進退動作した後に前記初期位置へと復帰しなかった場合、前記可動演出体を前記初期位置へ復帰させるためのリトライ動作を実行し、
当該リトライ動作を実行しても前記可動演出体が前記初期位置へ復帰しなかった場合に、前記ステータスを暫定的異常状態に遷移させるとともに、リトライ動作を再度実行し、当該再度のリトライ動作によって前記可動演出体が前記初期位置へ復帰したときは前記ステータスを暫定的異常状態から暫定的正常状態に遷移させ、当該再度のリトライ動作によって前記可動演出体が前記初期位置へ復帰しなかったときは前記ステータスを暫定的異常状態から異常状態に遷移させ、
前記ステータスが暫定的正常状態に遷移した後、前記可動演出体を進退動作させ、当該進退動作を正常に完了したときに前記ステータスを暫定的正常状態から正常状態に復帰させることを特徴とする遊技機。
【手続補正２】
【補正対象書類名】明細書
【補正対象項目名】０００８
【補正方法】変更
【補正の内容】
【０００８】
このような目的達成のために、本発明に係る遊技機は、遊技機本体（例えば、実施形態における外枠１、前枠２及びガラス枠５等）と、遊技機本体に設けられた可動演出装置（例えば、実施形態における演出ボタンユニット１００）とを備えた遊技機であって、可動演出装置は、外装体（例えば、実施形態におけるケース筐体１１０）と、外装体に設けられる駆動源（例えば、実施形態におけるボタンモータ１５２）と、駆動源からの動力を受けることで、動作の起点となる初期位置（例えば、実施形態における退避位置）と、初期位置から変位した可動位置（例えば、実施形態における突出位置）との間で進退動作する可動演出体（例えば、実施形態における演出ボタン１２０）と、可動演出体が初期位置に存在することを検出する検出手段（例えば、実施形態における第１位置検出センサＳ１）と、可動演出体の進退動作を制御する制御装置（例えば、実施形態におけるサブ制御基板２０００）とを備えて構成され、制御装置は、可動演出体を所定の演出動作パターンに従って進退動作させる制御を行う演出動作制御手段と、可動演出体の動作状態を監視して、当該動作状態を、正常状態、異常状態、暫定的正常状態及び暫定的異常状態のいずれかを示すステータス情報として取得する監視制御手段と、ステータス情報を記憶保持するステータス保持手段（例えば、実施形態におけるステータス記憶手段２２３３）と、可動演出体を所定のリトライ動作パターンに従って初期位置へ復帰させるためのリトライ動作を実行するリトライ動作制御手段とを有し、可動演出体が演出動作パターンに従って進退動作した後に初期位置へと復帰しなかった場合、可動演出体を初期位置へ復帰させるためのリトライ動作を実行し、当該リトライ動作を実行しても可動演出体が初期位置へ復帰しなかった場合に、ステータスを暫定的異常状態に遷移させるとともに、リトライ動作を再度実行し、当該再度のリトライ動作によって可動演出体が初期位置へ復帰したときはステータスを暫定的異常状態から暫定的正常状態に遷移させ、当該再度のリトライ動作によって可動演出体が初期位置へ復帰しなかったときはステータスを暫定的異常状態から異常状態に遷移させ、ステータスが暫定的正常状態に遷移した後、可動演出体を進退動作させ、当該進退動作を正常に完了したときにステータスを暫定的正常状態から正常状態に復帰させるよう構成する。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御する遊技機であって、
変動表示における特定変動表示の実行態様と、変動表示における前記特定変動表示とは異なる変動表示の実行態様とを決定する決定手段と、
未だ開始されていない変動表示について、該変動表示の実行態様を判定する判定手段と、
前記決定手段により決定された前記特定変動表示とは異なる変動表示の実行態様に関する第１コマンドと、前記決定手段により決定された前記特定変動表示の実行態様に関する第２コマンドとを送信するコマンド送信手段と
前記第１コマンドと前記第２コマンドにもとづいて変動表示演出を制御する変動表示演出制御手段と、
前記判定手段による判定にもとづいて、前記第２コマンドに対応する事前コマンドを送信する事前コマンド送信手段と、
前記事前コマンドにもとづいて、未だ開始されていない変動表示について、前記特定変動表示の実行態様が特別の実行態様であることを示唆する先読み予告演出を実行可能な先読み予告演出実行手段と、
を備え、
前記変動表示演出制御手段は、前記特定変動表示が前記特別の実行態様のときには、該特別の実行態様に対応して実行可能な複数の変動表示演出態様のうちの１の変動表示演出態様にて変動表示演出を実行し、
前記変動表示演出制御手段は、
前記特定変動表示が前記特別の実行態様の変動表示において該変動表示の開始前に前記先読み予告演出が実行された場合には、特定変動表示演出態様にて変動表示演出を実行し、
前記特定変動表示が前記特別の実行態様の変動表示において該変動表示の開始前に前記先読み予告演出が実行されなかった場合には、前記複数の変動表示演出態様のうちの１の変動表示演出態様にて変動表示演出を実行する、
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
変動表示を行い、遊技者にとって有利な有利状態（例えば、大当り状態）に制御する遊技機（パチンコ遊技機１）であって、
変動表示における特定変動表示の実行態様（例えば、ノーマルリーチやスーパーリーチ）と、変動表示における前記特定変動表示とは異なる変動表示の実行態様（例えば、滑りや擬似連の演出）とを決定する決定手段（例えば、ＣＰＵ１０３がステップＳ１１０の特別図柄通常処理とステップＳ１１１の変動パターン設定処理を実行する部分）と、
未だ開始されていない変動表示について、該変動表示の実行態様を判定する判定手段（例えば、ＣＰＵ１０３が入賞時乱数値判定処理を実行する部分）と、
前記決定手段により決定された前記特定変動表示とは異なる変動表示の実行態様に関する第１コマンド（前変動パターン指定コマンド）と、前記決定手段により決定された前記特定変動表示の実行態様に関する第２コマンド（後変動パターン指定コマンド）とを送信するコマンド送信手段（例えば、ＣＰＵ１０３がステップＳ２６６とステップＳ２７１ａを実行する部分）と
前記第１コマンドと前記第２コマンドにもとづいて変動表示演出を制御する変動表示演出制御手段（例えば、演出制御用ＣＰＵ１２０がステップＳ７５の演出制御プロセス処理を実行する部分）と、
前記判定手段による判定にもとづいて、前記第２コマンドに対応する事前コマンド（例えば、変動カテゴリコマンド）を送信する事前コマンド送信手段（例えば、ＣＰＵ１０３がステップＳ４６５の処理を実行する部分）と、
前記事前コマンドにもとづいて、未だ開始されていない変動表示について、前記特定変動表示の実行態様が特別の実行態様であることを示唆する先読み予告演出を実行可能な先読み予告演出実行手段（例えば、演出制御用ＣＰＵ１２０がステップＳ１６１の先読み予告処理を実行する部分）と、
を備え、
前記変動表示演出制御手段は、前記特定変動表示が前記特別の実行態様のときには、該特別の実行態様に対応して実行可能な複数の変動表示演出態様のうちの１の変動表示演出態様にて変動表示演出を実行し（例えば、演出制御用ＣＰＵ１２０がステップＳ７０９を実行することで、変動カテゴリコマンドから特定される変動カテゴリが予告の実行可能カテゴリであることを条件に、予告の実行を決定する）、
前記変動表示演出制御手段は、
前記特定変動表示が特別の実行態様の変動表示において該変動表示の開始前に前記先読み予告演出が実行された場合には、特定変動表示演出態様にて変動表示演出を実行し（例えば、予告演出Ａが先読み予告として実行された場合にはスーパーリーチＡが実行され、予告演出Ｂが先読み予告として実行された場合にはスーパーリーチＢが実行される）、
前記特定変動表示が特別の実行態様の変動表示において該変動表示の開始前に前記先読み予告演出が実行されなかった場合には、前記複数の変動表示演出態様のうちの１の変動表示演出態様にて変動表示演出を実行する（例えば、予告演出Ａ及び予告演出Ｂが実行されなかった場合、スーパーリーチＡ及びスーパーリーチＢの中から実行する演出を抽選で決定する）、
ことを特徴とする遊技機。
この特徴によれば、第２コマンドに対応する事前コマンドにもとづいて先読み予告演出が実行されるため、先読み予告演出の制御負荷を低減することができる。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
車両の充電池を充電するため設定されたタイマ設定情報を管理する管理部（３０）から、前記タイマ設定情報を取得する取得部（Ｓ１２）と、
前記タイマ設定情報を表示する予め定めた表示条件を満たすか判定する判定部（Ｓ１０）と、
前記判定部で、前記表示条件を満たすと判定された場合、前記取得部が取得した前記タイマ設定情報を表示部（２０、６０）に表示させる通知部（Ｓ１８、Ｓ１８ａ、Ｓ１８ｂ）と、
を備え、
前記判定部は、
前記表示条件としてユーザが前記車両から降車中か判定し、
前記通知部は、
前記判定部で降車中と判定された場合、前記タイマ設定情報を前記表示部に一定時間表示させる（Ｓ１８ａ、Ｓ１８ｂ）
ことを特徴とするタイマ備忘装置。
【請求項２】
請求項１に記載のタイマ備忘装置において、
前記表示部は、
当該タイマ備忘装置と無線通信可能な携帯端末が備える表示装置（６０）であることを特徴とするタイマ備忘装置。
【請求項３】
車両の充電池を充電するため設定されたタイマ設定情報を管理する管理部（３０）から、前記タイマ設定情報を取得する取得部（Ｓ１２）と、
前記タイマ設定情報を表示する予め定めた表示条件を満たすか判定する判定部（Ｓ１０）と、
前記判定部で、前記表示条件を満たすと判定された場合、前記取得部が取得した前記タイマ設定情報を表示部（２０、６０）に表示させる通知部（Ｓ１８、Ｓ１８ａ、Ｓ１８ｂ）と、
を備え、
前記表示条件は、
経路案内処理のため目的地が設定された場合、現在位置が自宅その他の目的地から予め定めた距離である場合、または、現在位置が充電ステーションから予め定めた距離である場合である
ことを特徴とするタイマ備忘装置。
【請求項４】
請求項１〜３のいずれか１項に記載のタイマ備忘装置において、
ユーザの操作を受け付ける操作受付部（２３、６２）と、
前記操作受付部が受け付けた操作に従って、前記タイマ設定情報を変更する情報変更部（Ｓ２２、Ｓ２２ｂ、Ｓ２４、Ｓ２４ｂ、Ｓ２６、Ｓ２６ｂ）と
を備えることを特徴とするタイマ備忘装置。
【請求項５】
請求項１〜４のいずれか１項に記載のタイマ備忘装置において、
前記判定部は、
前記表示条件として前記ユーザが前記車両を用いて移動中か判定し、
前記通知部は、
前記判定部で移動中であると判定された場合、前記タイマ設定情報を前記表示部に表示させる
ことを特徴とするタイマ備忘装置。
【手続補正２】
【補正対象書類名】明細書
【補正対象項目名】発明の名称
【補正方法】変更
【補正の内容】
【発明の名称】タイマ備忘装置
【手続補正３】
【補正対象書類名】明細書
【補正対象項目名】００１０
【補正方法】変更
【補正の内容】
【００１０】
従って、本発明のタイマ備忘装置を用いると、ユーザがタイマを設定したことを忘れにくくなるので、ユーザの意図に反して充電池の充電が行われないことを抑制することができる。
また、本発明のタイマ備忘装置は、取得部（Ｓ１２）、判定部（Ｓ１０）及び通知部（Ｓ１８、Ｓ１８ａ、Ｓ１８ｂ）を備えるものであるが、表示条件としては、経路案内処理のため目的地が設定された場合、現在位置が自宅その他の目的地から予め定めた距離である場合、または、現在位置が充電ステーションから予め定めた距離である場合が考えられる。
このようにすると、ユーザがタイマを設定したことを忘れてしまっていても、目的地が設定された場合や、自宅等の目的地に近づいた場合、充電ステーションから一定距離に位置する場合、タイマ設定情報が表示部に表示されるので、タイマ設定されたことをユーザに気付かせることとなる。
従って、本発明のタイマ備忘装置を用いると、ユーザがタイマを設定したことを忘れにくくなるので、ユーザの意図に反して充電池の充電が行われないことを抑制することができる。
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
発展型ノードＢ（ｅＮＢ）が、ロングタームエボリューション（ＬＴＥ）モビリティ管理エンティティ（ＭＭＥ）からハンドオーバ要求メッセージを受信するステップであって、前記ハンドオーバ要求メッセージは、ＧＳＭ（登録商標）  ＥＤＧＥ無線アクセスネットワーク(ＧＥＲＡＮ）技術からＬＴＥ技術にハンドオーバされることになる無線送受信ユニット（ＷＴＲＵ）の識別子、セル識別子（ＩＤ）、ＭＭＥ  ＩＤ、およびトンネリング  エンドポイント  ＩＤ（ＴＥＩＤ）を含む、ステップと、
前記ｅＮＢが、前記ハンドオーバ要求メッセージに基づいて、前記ＷＴＲＵのための無線リソースを確立するステップと、
前記ｅＮＢが、ＬＴＥゲートウェイに接続されたトンネルを介してユーザデータを受信するステップと、
を含む、方法。
【請求項２】
前記ｅＮＢが、アタッチ信号を前記ＷＴＲＵから受信するステップと、
前記ｅＮＢが、ハンドオーバ完了メッセージを前記ＷＴＲＵから受信するステップと、
をさらに含む、請求項１に記載の方法。
【請求項３】
前記ｅＮＢが、前記ハンドオーバ完了メッセージを前記ＭＭＥに伝えるステップと、
前記ｅＮＢが、前記ハンドオーバ完了メッセージに応答して前記トンネルを終了させるステップと、
をさらに含む、請求項２に記載の方法。
【請求項４】
前記ｅＮＢが、前記トンネルの前記終了に応答して、ＬＴＥサービスを前記ＷＴＲＵに提供するステップ
をさらに含む、請求項３に記載の方法。
【請求項５】
前記ＬＴＥ  ＭＭＥが、アタッチメント通知メッセージを前記ｅＮＢから受信するステップであって、前記アッタチメント通知メッセージは、前記ＷＴＲＵが前記ｅＮＢへのアクセスに成功したことを示す、ステップと、
前記ＬＴＥ  ＭＭＥが、リロケーション完了メッセージをサービングＧＰＲＳサポートノード（ＳＧＳＮ）に伝えるステップであって、前記リロケーション完了メッセージは、前記ＷＴＲＵが前記ｅＮＢへのアクセスに成功したことを示す、ステップと、
をさらに含む、請求項１に記載の方法。
【請求項６】
前記ＬＴＥ  ＭＭＥが、リロケーション完了確認応答メッセージを前記ＳＧＳＮから受信するステップと、
前記ＬＴＥ  ＭＭＥが、ＬＴＥサービスを前記ＷＴＲＵに提供するステップと、
をさらに含む、請求項５に記載の方法。
【請求項７】
ロングタームエボリューション（ＬＴＥ）モビリティ管理エンティティ（ＭＭＥ）からハンドオーバ要求メッセージを受信する発展型ノードＢ（ｅＮＢ）を備え、前記ハンドオーバ要求メッセージは、ＧＳＭ  ＥＤＧＥ無線アクセスネットワーク(ＧＥＲＡＮ）技術からＬＴＥ技術にハンドオーバされることになる無線送受信ユニット（ＷＴＲＵ）の識別子、セル識別子（ＩＤ）、ＭＭＥ  ＩＤ、およびトンネリング  エンドポイント  ＩＤ（ＴＥＩＤ）を含み、
前記ｅＮＢは、前記ハンドオーバ要求メッセージに基づいて、前記ＷＴＲＵのための無線リソースを確立し、
前記ｅＮＢは、ＬＴＥゲートウェイに接続されたトンネルを介してユーザデータを受信する、
無線通信システム。
【請求項８】
前記ｅＮＢは、アタッチ信号を前記ＷＴＲＵから受信し、
前記ｅＮＢは、ハンドオーバ完了メッセージを前記ＷＴＲＵから受信する、
請求項７に記載の無線通信システム。
【請求項９】
前記ｅＮＢは、前記ハンドオーバ完了メッセージを前記ＭＭＥに伝え、
前記ｅＮＢは、前記ハンドオーバ完了メッセージに応答して前記トンネルを終了させる、
請求項８に記載の無線通信システム。
【請求項１０】
前記ｅＮＢは、前記トンネルの前記終了に応答して、ＬＴＥサービスを前記ＷＴＲＵに提供する、
請求項９に記載の無線通信システム。
【請求項１１】
前記ＬＴＥ  ＭＭＥは、アタッチメント通知メッセージを前記ｅＮＢから受信し、前記アッタチメント通知メッセージは、前記ＷＴＲＵが前記ｅＮＢへのアクセスに成功したことを示し、
前記ＬＴＥ  ＭＭＥは、リロケーション完了メッセージをサービングＧＰＲＳサポートノード（ＳＧＳＮ）に伝え、前記リロケーション完了メッセージは、前記ＷＴＲＵが前記ｅＮＢへのアクセスに成功したことを示す、
請求項７に記載の無線通信システム。
【請求項１２】
前記ＬＴＥ  ＭＭＥは、リロケーション完了確認応答メッセージを前記ＳＧＳＮから受信し、
前記ＬＴＥ  ＭＭＥは、ＬＴＥサービスを前記ＷＴＲＵに提供する、
請求項１１に記載の無線通信システム。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
開始操作が行われることに基づいて複数列の図柄を変動させて行う遊技が図柄表示手段で開始され、遊技の開始に基づき各列の図柄の変動が開始された後、停止操作に基づいて対応する列の図柄が停止され、全列の図柄が停止されることで前記図柄表示手段に表示結果が導出される遊技機において、
複数種類の表示結果のうち１又は複数の表示結果の導出を許容する導出許容手段と、
通常遊技状態と、前記通常遊技状態よりも有利な有利遊技状態と、前記有利遊技状態よりも有利な特別遊技状態と、を含む状態の制御を行う状態制御手段と、を備え、
前記導出許容手段は、特定入賞が発生する特定表示結果と特典入賞が発生する特典表示結果のうち前記特定表示結果のみの導出を許容する場合と、前記特定表示結果と前記特典表示結果の導出を許容する場合と、があり、
前記図柄表示手段には、前記特定表示結果と前記特典表示結果の導出が許容されているとき、所定の停止操作が行われると前記特定表示結果が導出される一方、前記所定の停止操作とは異なる特定の停止操作が行われると前記特典表示結果が導出され、
前記特定表示結果が導出された際に前記図柄表示手段に表示される図柄の組み合わせと前記特典表示結果が導出された際に前記図柄表示手段に表示される図柄の組み合わせは、一部が同一であって、
前記状態制御手段は、前記通常遊技状態及び前記特別遊技状態中、前記図柄表示手段に前記特定表示結果が導出されることを契機に前記有利遊技状態に制御することを特徴とする遊技機。
【請求項２】
前記導出許容手段は、前記特別遊技状態であるとき、前記特定表示結果と前記特典表示結果の導出を許容することに加えて、所定表示結果の導出を許容する場合があり、
前記特別遊技状態であるときに前記図柄表示手段に前記所定表示結果が導出された場合は、前記特別遊技状態が維持され、
前記特定表示結果が導出された際に前記図柄表示手段に表示される図柄の組み合わせ、前記特典表示結果が導出された際に前記図柄表示手段に表示される図柄の組み合わせ及び前記所定表示結果が導出された際に前記図柄表示手段に表示される図柄の組み合わせは、一部が同一である請求項１に記載の遊技機。
【手続補正２】
【補正対象書類名】明細書
【補正対象項目名】０００７
【補正方法】変更
【補正の内容】
【０００７】
上記課題を解決する遊技機は、開始操作が行われることに基づいて複数列の図柄を変動させて行う遊技が図柄表示手段で開始され、遊技の開始に基づき各列の図柄の変動が開始された後、停止操作に基づいて対応する列の図柄が停止され、全列の図柄が停止されることで前記図柄表示手段に表示結果が導出される遊技機において、複数種類の表示結果のうち１又は複数の表示結果の導出を許容する導出許容手段と、通常遊技状態と、前記通常遊技状態よりも有利な有利遊技状態と、前記有利遊技状態よりも有利な特別遊技状態と、を含む状態の制御を行う状態制御手段と、を備え、前記導出許容手段は、特定入賞が発生する特定表示結果と特典入賞が発生する特典表示結果のうち前記特定表示結果のみの導出を許容する場合と、前記特定表示結果と前記特典表示結果の導出を許容する場合と、があり、前記図柄表示手段には、前記特定表示結果と前記特典表示結果の導出が許容されているとき、所定の停止操作が行われると前記特定表示結果が導出される一方、前記所定の停止操作とは異なる特定の停止操作が行われると前記特典表示結果が導出され、前記特定表示結果が導出された際に前記図柄表示手段に表示される図柄の組み合わせと前記特典表示結果が導出された際に前記図柄表示手段に表示される図柄の組み合わせは、一部が同一であって、前記状態制御手段は、前記通常遊技状態及び前記特別遊技状態中、前記図柄表示手段に前記特定表示結果が導出されることを契機に前記有利遊技状態に制御するようにした。
【手続補正３】
【補正対象書類名】明細書
【補正対象項目名】０００８
【補正方法】変更
【補正の内容】
【０００８】
上記遊技機について、前記導出許容手段は、前記特別遊技状態であるとき、前記特定表示結果と前記特典表示結果の導出を許容することに加えて、所定表示結果の導出を許容する場合があり、前記特別遊技状態であるときに前記図柄表示手段に前記所定表示結果が導出された場合は、前記特別遊技状態が維持され、前記特定表示結果が導出された際に前記図柄表示手段に表示される図柄の組み合わせ、前記特典表示結果が導出された際に前記図柄表示手段に表示される図柄の組み合わせ及び前記所定表示結果が導出された際に前記図柄表示手段に表示される図柄の組み合わせは、一部が同一であるようにした。
【手続補正４】
【補正対象書類名】明細書
【補正対象項目名】０２４２
【補正方法】変更
【補正の内容】
【０２４２】
次に、上記実施形態及び別例から把握できる技術的思想を以下に追記する。
（イ）前記通常遊技状態中には所定条件が成立していることを条件に前記特定の入賞役の決定がなされる場合、前記特定の停止操作を認識させる特別情報を報知する情報報知手段と、前記通常遊技状態中には予め定めた停止操作との不一致を条件に遊技者に不利となるペナルティを付与する一方、前記特別情報が報知される場合に前記予め定めた停止操作との不一致を許容するペナルティ付与手段を備え、前記導出制御手段は、前記通常遊技状態中に前記特定の入賞役の決定がなされる場合、前記予め定めた停止操作を除いた前記特定の停止操作との一致を条件に前記特定停止態様による表示結果を導出させるとともに、前記特別遊技状態中に前記特定の入賞役の決定がなされる場合、前記予め定めた停止操作を含んだ前記特定の停止操作との一致を条件に前記特定停止態様による表示結果を導出させるように制御する。
【手続補正書】
【提出日】平成26年12月1日(2014.12.1)
【手続補正１】
【補正対象書類名】明細書
【補正対象項目名】全文
【補正方法】変更
【補正の内容】
【発明の詳細な説明】
【発明の名称】脱着容易な靴の踵部分を開閉できる履物。
【技術分野】
【０００１】
本発明は、立ったまま、靴ベラ不要で容易に脱着出来る靴に関する。
【背景技術】
【０００２】
履物においては、個々の足に沿った靴では脱着が困難で、靴ベラなどで強引に履いていたり、消耗品の修理ではメーカーなどに依頼していた。
したがって、靴の踵部分を回転開閉し、脱着しやすい靴がある（特許文献１参照）。
【０００３】
しかし、前者の物にあっては、靴べらなしで履きやすいと言うだけで、足に沿わせる事が出来ないという欠点があった。
【先行技術文献】
【特許文献】
【０００４】
【特許文献１】特許JP2004-236860A
【発明の概要】
【発明が解決しようとする課題】
【０００５】
本発明は、上述の問題を除去するためになされたものであり、立ったまま足に沿った履きものを靴ベラ不要で、容易に脱着出来る履きものを提供することを目的としている。
【課題を解決するための手段】
【０００６】
請求項１においては、履きものの踵部分が樹脂製か、あるいは皮、又は合成皮革などで被覆した樹脂性の芯で、踵後部分（2）を樹脂製の中底（10）と樹脂製の底（８）で、スライド出来るように挟みバネ及びゴム（７）の補助で、スライド開閉させることが出来る履きものである。
【０００７】
請求項2においては、樹脂性の中底（10）と樹脂性の底（８）を凹凸の組み合わせで、樹脂性の踵（11）のスライド機構（３）を設け固定用ボルト（5）及び固定用ネジ（6）で組み立て、分解が出来る履物である。
【発明の効果】
【０００８】
本発明は、履きものの長さを伸縮できる、履き口を広げる為の開閉機能を有し、個々の足に沿った履きものを靴ベラ不要で立ったまま脱着出来、消耗品の交換が個人で簡単に出来る。
【図面の簡単な説明】
【０００９】
【図１】図１は靴の開閉機能を持つ後踵部分（２）の閉時の側面図である。
【図２】図２は靴の開閉機能を持つ後踵部分（２）の開時の側面図である。
【図３】図３は靴全体の分解図である。
【発明を実施するための形態】
【００１０】
発明を実施する為の形態を説明する。
【実施例１】
【００１１】
図２は、通常の状態（図１）で、足を深めに入れ、踵を押し込むことで、織ゴムの収縮により後踵部分（２）が開き、立ったまま容易に履くことが出来、織ゴムの収縮力によってスライド機構（３）に沿ってスライドし、容易に踵部分を安定させる履きものである。
【００１２】
図３は、靴全体の分解図で、踵部分が樹脂製の中底（10）と踵部分が樹脂製の底（８）の凹凸で樹脂製の踵（11）スライドさせる機構（3）を設けることで、固定用ボルト（5）及び固定用ネジ（６）で組み立て、分解する事が出来るので、消耗品であるリフト（4）やヒール（9）、踵（１１）の交換が簡単に出来る履物である。
【産業上の利用可能性】
【００１３】
靴ベラが、不要で、かがむ必要がないため、高齢者の生活補助に適用できる。
【００１４】
分解が簡単な為、消耗品の修理をメーカーに依頼しなくても、個人で修理が可能で、維持費を抑えることが出来る。
【符号の説明】
【００１５】
１    靴の踵側より前部分
２    靴の踵側部分
３    踵をスライドさせるためのスライド機構
４    リフト
５    固定用ボルト又はナット
６    固定用ネジ
７    収縮機能のあるゴム及びバネ
８    靴の底材
９    靴のヒール
１０    靴の中底  
１１    樹脂製の踵、あるいは、樹脂に皮及び合成皮革を被覆した踵部分
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御装置を備えた遊技機において、
前記遊技制御装置は、
遊技制御プログラムを記憶する遊技制御プログラム記憶手段と、
前記遊技制御プログラムにより所要の演算処理を行う演算処理手段と、
前記演算処理を行う際にデータが記憶される第１のレジスタ群と、
前記第１のレジスタ群と同じ構成を有する第２のレジスタ群と、
前記第１のレジスタ群及び前記第２のレジスタ群の何れか一方を、アクセス可能に切り替えるレジスタ群切替手段と、
前記レジスタ群切替手段によって前記第１のレジスタ群及び前記第２のレジスタ群の何れがアクセス可能となっている場合であっても切り替えられずに共通で使用され、前記演算処理手段による演算結果を記憶するとともに、割込信号による割込処理の許否情報を記憶するフラグレジスタと、
を備え、
所定の起動信号が発生した際に、前記演算処理手段が前記遊技制御プログラムのリセットアドレスに設定された命令を実行するよりも前に、前記フラグレジスタに割込信号による割込処理の実行を禁止する情報を記憶させ、
さらに、前記遊技制御プログラムの実行を開始すると、前記フラグレジスタに割込信号による割込処理の実行を禁止する情報を再度記憶させることを特徴とする遊技機。
【手続補正２】
【補正対象書類名】明細書
【補正対象項目名】０００５
【補正方法】変更
【補正の内容】
【０００５】
呼び出し元のモジュールで用いられていたレジスタの値が、呼び出し先のサブモジュールで変更されてしまうと、ＣＰＵの演算処理に支障を来たす。そのため、従来の遊技機では、呼び出し先のモジュール内にて、ＰＵＳＨ命令やＰＯＰ命令を記述する必要があり、プログラム容量が増えてしまう要因となっていた。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、上記のような問題点を解決するためになされたもので、汎用レジスタの不足を解消することによって、プログラムの複雑化及びコード量の増大を防ぐことを目的とする。
【手続補正５】
【補正対象書類名】明細書
【補正対象項目名】０００８
【補正方法】変更
【補正の内容】
【０００８】
本発明の代表的な一形態では、遊技を統括的に制御する遊技制御装置を備えた遊技機において、前記遊技制御装置は、遊技制御プログラムを記憶する遊技制御プログラム記憶手段と、前記遊技制御プログラムにより所要の演算処理を行う演算処理手段と、前記演算処理を行う際にデータが記憶される第１のレジスタ群と、前記第１のレジスタ群と同じ構成を有する第２のレジスタ群と、前記第１のレジスタ群及び前記第２のレジスタ群の何れか一方を、アクセス可能に切り替えるレジスタ群切替手段と、前記レジスタ群切替手段によって前記第１のレジスタ群及び前記第２のレジスタ群の何れがアクセス可能となっている場合であっても切り替えられずに共通で使用され、前記演算処理手段による演算結果を記憶するとともに、割込信号による割込処理の許否情報を記憶するフラグレジスタと、を備え、所定の起動信号が発生した際に、前記演算処理手段が前記遊技制御プログラムのリセットアドレスに設定された命令を実行するよりも前に、前記フラグレジスタに割込信号による割込処理の実行を禁止する情報を記憶させ、さらに、前記遊技制御プログラムの実行を開始すると、前記フラグレジスタに割込信号による割込処理の実行を禁止する情報を再度記憶させる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明の一形態によれば、汎用レジスタの不足を解消することによって、プログラムの複雑化及びコード量の増大を防ぐことができる。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
所定の始動条件の成立により遊技を実行し、該遊技が特別な結果となる場合に遊技者に特典を付与する特別遊技状態を発生させる遊技制御を行う遊技制御装置と、
前記遊技制御装置からの指令により表示装置を制御する表示制御装置と、を備えた遊技機において、
前記遊技制御装置は、
遊技制御プログラムを記憶する遊技制御プログラム記憶手段と、
前記遊技制御プログラムにより所要の演算処理を行う演算処理手段と、
前記演算処理を行う際にデータが記憶されるレジスタと、
前記レジスタのうち、複数の汎用レジスタからなる第１のレジスタ群と、
前記第１のレジスタ群と同じ構成を有する第２のレジスタ群と、
前記第１のレジスタ群及び前記第２のレジスタ群の何れか一方を、アクセス可能に切り替えるレジスタ群切替手段と、
を備え、
前記第１のレジスタ群と前記第２のレジスタ群において、各レジスタ群同士の同一のレジスタを用いて前記遊技に関連する乱数の更新を行う構成としたことを特徴とする遊技機。
【請求項２】
前記遊技制御装置には、
前記演算処理手段によって更新される情報が記憶される更新情報記憶手段が備えられ、
前記第１のレジスタ群及び前記第２のレジスタ群の何れがアクセス可能であるかを示すレジスタ群切替情報設定領域が形成されていることを特徴とする請求項１に記載の遊技機。
【手続補正２】
【補正対象書類名】明細書
【補正対象項目名】０００５
【補正方法】変更
【補正の内容】
【０００５】
しかしながら、特許文献２に開示されたようなＣＰＵでは、遊技制御プログラムの実行に必要な汎用レジスタの数に制限があるため、複雑な遊技制御を行う場合には汎用レジスタが不足してしまうことがあった。そこで、特許文献１のように、ＰＵＳＨ命令やＰＯＰ命令を用いてレジスタの値を退避、復帰する処理が必要となり、プログラムが複雑となり、コード量も増加してしまうという問題が生じていた。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、上記のような問題点を解決するためになされたもので、プログラムの複雑化及びコード量の増大を防ぐことを目的とする。
【手続補正５】
【補正対象書類名】明細書
【補正対象項目名】０００８
【補正方法】変更
【補正の内容】
【０００８】
本発明の代表的な一形態では、所定の始動条件の成立により遊技を実行し、該遊技が特別な結果となる場合に遊技者に特典を付与する特別遊技状態を発生させる遊技制御を行う遊技制御装置と、前記遊技制御装置からの指令により表示装置を制御する表示制御装置と、を備えた遊技機において、前記遊技制御装置は、遊技制御プログラムを記憶する遊技制御プログラム記憶手段と、前記遊技制御プログラムにより所要の演算処理を行う演算処理手段と、前記演算処理を行う際にデータが記憶されるレジスタと、前記レジスタのうち、複数の汎用レジスタからなる第１のレジスタ群と、前記第１のレジスタ群と同じ構成を有する第２のレジスタ群と、前記第１のレジスタ群及び前記第２のレジスタ群の何れか一方を、アクセス可能に切り替えるレジスタ群切替手段と、を備え、前記第１のレジスタ群と前記第２のレジスタ群において、各レジスタ群同士の同一のレジスタを用いて前記遊技に関連する乱数の更新を行う構成とした。
【手続補正６】
【補正対象書類名】明細書
【補正対象項目名】００１５
【補正方法】変更
【補正の内容】
【００１５】
本発明の一形態によれば、プログラムの複雑化及びコード量の増大を防ぐことができる。